(57)【特許請求の範囲】
【請求項１】
本体に装飾部が設けられ、前記装飾部に装飾物を置くための装飾物置きが設けられ、
前記本体にある前記装飾部の一方に締付け部が設けられ、前記締付け部に複数の止め金が設けられ、前記本体の前記装飾部の他方に前記締付け部と対応する締付け穴部が設けられ、前記締付け穴部に締付け穴及び締付け縁が設けられ、前記締付け縁に前記複数の止め金と係合可能な斜面が形成され、
前記本体に任意のリング形状に湾曲可能な湾曲部が設けられることを特徴とする髪止め具。
【請求項２】
前記本体にある前記湾曲部の厚さは、本体の厚さより薄いことを特徴とする請求項１記載の髪止め具。
【請求項３】
前記本体にある前記装飾物置きは、いかなる形でもよいことを特徴とする請求項１記載の髪止め具。
【請求項４】
前記本体にある前記装飾物置きに設置される前記装飾物は、いかなる形と外観でもよいことを特徴とする請求項１記載の髪止め具。
【請求項５】
前記本体にある前記装飾部は、複数のリング状の装飾物によって組合わされることを特徴とする請求項１記載の髪止め具。
【請求項６】
前記本体にある前記装飾部は、弧形装飾物によって構成されることを特徴とする請求項１記載の髪止め具。
【請求項７】
前記湾曲部は、前記装飾部と前記装飾部との間、前記装飾部と前記締付け部との間、及び、前記装飾部と前記締付け穴部との間に分布していることを特徴とする請求項１記載の髪止め具。
【請求項８】
前記湾曲部の前記装飾部と前記締付け部との間、及び前記装飾部と前記締付け穴部との間に軸座が設置され、支軸によって組合せ箇所を貫通することを特徴とする請求項１記載の髪止め具。
【請求項９】
前記湾曲部の前記装飾部と前記締付け部との間、及び、前記装飾部と前記締付け穴部との間に軸座が設置され、支軸によって組合せ箇所を貫通することを特徴とする請求項１記載の髪止め具。
【請求項１０】
前記湾曲部の前記装飾部と前記締付け部との間、及び前記装飾部と前記締付け穴部との間に軸溝が設置され、対応部位に支軸が設置され、前記軸溝と組合されることを特徴とする請求項１記載の髪止め具。
【請求項１１】
前記湾曲部は、前記装飾部と前記締付け部との間、及び前記装飾部と前記締付け穴部との間に設けられ、前記装飾部に軸穴が設置され、前記締付け部と前記締付け穴部に別々に支軸が設けられ、前記支軸が前記締付け部と前記締付け穴部の前記装飾部にある前記軸穴に設置されていることを特徴とする請求項１記載の髪止め具。
【請求項１２】
前記湾曲部は、一体成型で、前記装飾部と前記締付け部及び前記装飾部と前記締付け穴部との間に分布していることを特徴とする請求項１記載の髪止め具。
【発明の詳細な説明】
【技術分野】
【０００１】
本発明は、髪止め具に関する。
【背景技術】
【０００２】
従来の髪止め具は、特許文献１に記載された髪止め具のように一体成型で製造されている。従来品の主な特徴は、飾片部の片側に一つの止め穴を設け、止め穴の内側に一つの挿し穴を設け、かつ止め穴に一つの水平溝と一つの三角溝を設け、飾片部のもう片側に複数の止め金を設け、止め金の片側に一つの平板部を設け、止め金は一方向性である。よって、平板部を止め穴から穿入し、止め金と止め穴を利用して結合させ、髪の毛を束ねる。
従来品の欠点は、飾片は必ず薄い外観に製造しなければならないために、従来のへアピンの特殊な飾り効果がなくなる。もしより厚い外観に作り上げると、髪止め具は曲げられないので、使用上、不便になる。
【０００３】
また、図１及び図２で示しているのは、市場で販売されている従来の髪止め具であって、髪止め具１に装飾部１０を含み、装飾部１０の下方に一つの弾性リング１１を設け、弾性リング１１を利用して、髪の毛を束ねる。その欠点は、弾性リングを利用して、髮の量に合わせて髪の毛を束ねても、有効に髪の毛を束ねることができず、髪の毛はやはり下へ落ちてしまい、使用者は隨時髪の毛を整理し、髪の毛を束ね直さなければならない。
このため、本発明者は、長年の髪止め具の設計及び製造経験を生かし、上記従来品の欠点に対して、研究と設計をした上、本発明を発明した。
【０００４】
【特許文献１】台湾特許第００２８１８８３号明細書
【発明の開示】
【発明が解決しようとする課題】
【０００５】
本発明の目的は、本体の複数の湾曲部を利用することによって、本体がリング形状に湾曲され、また、本体にある締付け部の止め金と締付け穴の締付け縁を利用して結合させ、リング穴で髪の毛がしっかりと挟み固定され、しかも良い飾り効果が得られる髪止め具を提供することにある。
【課題を解決するための手段】
【０００６】
本発明の髪止め具は、本体を設け、本体は一体成型で製造され、かつ本体に複数の湾曲部を設け、よって、本体は任意のリング形状に曲げられるので、プラスチック製品がある程度の厚みになると曲げにくくなるという欠点が克服される。
本発明の髪止め具は、本体に装飾部を設け、装飾部に装飾物を置くための装飾物置きを設け、髪止め具に造型の変化効果を持たせることができる。
【０００７】
また、本発明の髪止め具では、本体側に締付け部を設け、締付け部に複数の止め金を設ける。上記の締付け部と対応して、本体に締付け穴を設け、締付け穴に締付け縁を設けることによって、髪止め具で髪の毛を挟む時、上記の締付け部を上記の締付け穴に通させ、かつ締付け部の止め金と締付け穴の締付け縁を利用して結合させると、髪止め具がリング形状に変形し、リング穴を利用して髪の毛を挟むと、髪の毛がしっかりと挟み固定され、しかも良い飾り効果が得られる。
【発明を実施するための最良の形態】
【０００８】
（第１実施形態）
本発明の第１実施形態による髪止め具を図３から７に示す。
本体２にある装飾部２１の片方に締付け部２３を設置し、締付け部２３に複数の止め金２３０を設け、及び締付け部２３と対応し、本体２の装飾部２１のもう片方に締付け穴部２４を設け、締付け穴部２４に締付け穴２４０及び締付け縁２４１を設け、締付け縁２４１に適当な斜面２４２を設ける。締付け部２３に複数の止め金２３０が設けられているために、髮の量に合わせて髪の毛を挟むことができ、また、止め金２３０と締付け縁２４１の結合状態を変更し、本実施形態の実用設計を良好にすることができる。
【０００９】
（第２実施形態、第３実施形態、第４実施形態、第５実施形態、第６実施形態）
本発明の第２実施形態による髪止め具を図８に、本発明の第３実施形態による髪止め具を図９に、本発明の第４実施形態による髪止め具を図１０に、本発明の第５実施形態による髪止め具を図１１に、本発明の第６実施形態による髪止め具を図１２に示す。
本発明による髪止め具の場合、本体２に装飾部２１を設け、装飾部２１に装飾物置き２１０を設け、装飾物置き２１０は各種類の装飾物３に合わせるために、いかなる形でもよく（図６から図１０参照）、髪止め具は図６から図１１等の各種造型変化の効果をもたらし、また、使用者が自由に組合せ、自己で運用するために、装飾物３もいかなる形と外観に製造することができる。或いは、図１２に示すように、本体２を波形に設計してもよい。また、本体２の下方に歯状或いは突出物２２を設置し、歯状或いは突出物２２によって、髪の毛を効果的に挟み、良好な固定効果を達成してもよい。
【００１０】
図６から図１１に示すように、本発明による髪止め具の場合、本体２に複数の湾曲部２５を設け、湾曲部２５は一体成型で製造され、装飾部２１、締付け部２３及び締付け穴部２４の間に分布する。上記の湾曲部２５の厚さは本体の厚さより薄いので、本体にある装飾部２１、締付け部２３及び締付け穴部２４を任意のリング形状に湾曲させることができる。よって、プラスチック製品がある程度の厚みになると曲げにくいという問題が克服される。
【００１１】
（第７実施形態）
図１３及び図１４に示すように、本発明の第７実施形態による髪止め具の場合、装飾部２１と締付け部２３との間、及び装飾部２１と締付け穴部２４との間に軸座２５０を設置し、支軸２５１によって組合せ箇所を貫通させている。これにより、髪止め具を、任意のリング形状に湾曲させることができる。
（第８実施形態）
図１５に示すように、本発明の第８実施形態による髪止め具の場合、装飾部２１、締付け部２３と締付け穴部２４の間に軸座２５０を設置し、支軸２５１によって組合せ箇所を貫通させている。これにより、髪止め具を、任意のリング形状に湾曲させることができる。
【００１２】
（第９実施形態）
図１６に示すように、本発明の第９実施形態の場合、装飾部２１と締付け部２３との間、及び装飾部２１と締付け穴部２４との間に軸溝２５２を設置し、また、対応部位に支軸２５３を設置することによって、上記の軸溝２５２と組合せている。これにより、髪止め具を、任意のリング形状に湾曲させることができる。  
また、本発明は上記の各実施形態を延続し、各種造型を変化させる。各種方式によって、装飾部２１と本体２を組合せた下記の各種実施形態も本発明の範疇に属する。
【００１３】
（第１０実施形態、第１１実施形態、第１２実施形態）
図１７に示す本発明の第１０実施形態による髪止め具の場合、本体２に装飾部２１を設け、装飾部２１は複数のリング状装飾物によって組合せている。
図１８及び図１９に示す本発明の第１１実施形態の場合、装飾部２１を設け、装飾部２１も複数のリング状装飾物によって組合せている。
図２０に示す本発明の第１２実施形態の場合、装飾部２１を設け、装飾部２１は弧形装飾物によって構成している。
【００１４】
図１７、図１８、図１９及び図２０に示す各実施形態による髪止め具は、全て本体２にある装飾部２１の片方に締付け部２３を設置し、締付け部２３に複数の止め金２３０を設ける。上記の締付け部２３と対応し、本体２の装飾部２１のもう片方に締付け穴部２４を設け、締付け穴部２４に締付け穴２４０及び締付け縁２４１を設け、かつ締付け縁２４１に適当な斜面２４２を設ける。かつ締付け部２３に複数の止め金２３０が設けられているために、髮の量に合わせて髪の毛を挟むことができ、また、止め金２３０と締付け縁２４１の結合状態を変更し、本実施例の実用設計を良好にすることができる。
【００１５】
図１７に示す第１０実施形態による髪止め具の場合、本体２に複数の湾曲部２５を設け、湾曲部２５は、装飾部２１と締付け部２３との間、及び装飾部２１と締付け穴部２４との間に設けられ、かつ装飾部２１に支軸２５４を設置し、また、締付け部２３と締付け穴部２４に別々に軸穴２５５を設け、支軸２５４を締付け部２３と締付け穴部２４の装飾部２１にある軸穴２５５に設置している。これにより、髪止め具を任意のリング形状に湾曲させることができる。
また、図１８及び図１９に示すように、第１１実施形態による髪止め具の場合、本体２にある装飾部２１と締付け部２３及び締付け穴部２４との間は、例えばねじ４で固定してもよい。
【００１６】
また、図１７及び図１８に示すように、湾曲部２５と締付け部２３及び締付け穴部２４は一体成型で製造されてもよく、かつ装飾部２１と締付け部２３の間及び装飾部２１と締付け穴部２４の間に分布し、上記の湾曲部２５の厚さは本体の厚さより薄いので、本体２にある装飾部２１、締付け部２３及び締付け穴部２４を任意のリング形状に湾曲させることができる。よって、プラスチック製品がある程度の厚みになると曲げにくくなるという問題が克服される。
【００１７】
また、図２０に示すように、第１２実施形態による髪止め具の場合、装飾部２１、締付け部２３と締付け穴部２４の間に軸座２５６を設置し、かつ支軸２５７によって組合せ箇所を貫通させている。これにより、髪止め具を任意のリング形状に湾曲させることができる。
よって、本発明の各実施形態による髪止め具を用いて髪の毛を挟む時に、締付け部２３を締付け穴２４に貫通させ、また、締付け部にある止め金２３０と締付け穴２４にある締付け縁２４０を利用して結合させることによって、髪止め具をリング形状に変形させ、リング形状により髪の毛を挟むと、髪の毛がしっかりと挟み固定され（図２１参照）、しかも良い飾り効果が得られる。
【図面の簡単な説明】
【００１８】
【図１】従来の髪止め具を示す側面図である。
【図２】従来の髪止め具の使用状態を示す模式図である。
【図３】本発明の第１実施形態による髪止め具を示す模式図である。
【図４】図３をＡ−Ａ線で切断した断面図である。
【図５】本発明の第１実施形態による髪止め具がリング形状に変形した状態を示す断面図である。
【図６】本発明の第１実施形態による髪止め具を示す分解斜視図である。
【図７】本発明の第１実施形態による髪止め具を示す斜視図である。
【図８】本発明の第２実施形態による髪止め具を示す斜視図である。
【図９】本発明の第３実施形態による髪止め具を示す斜視図である。
【図１０】本発明の第４実施形態による髪止め具を示す模式図である。
【図１１】本発明の第５実施形態による髪止め具を示す断面図である。
【図１２】本発明の第６実施形態による髪止め具を示す断面図である。
【図１３】本発明の第７実施形態による髪止め具を示す模式図である。
【図１４】図１３をＢ−Ｂ線で切断した断面図である。
【図１５】本発明の第８実施形態による髪止め具を示す断面図である。
【図１６】本発明の第９実施形態による髪止め具を示す模式図である。
【図１７】本発明の第１０実施形態による髪止め具を示す模式図である。
【図１８】本発明の第１１実施形態による髪止め具を示す分解斜視図である。
【図１９】本発明の第１１実施形態による髪止め具を示す斜視図である。
【図２０】本発明の第１２実施形態による髪止め具を示す分解斜視図である。
【図２１】本発明の第１実施形態による髪止め具の使用状態を示す模式図である。
【符号の説明】
【００１９】
２：本体、３：装飾物、４：ねじ、２１：装飾部、２２：突出物、２３：締付け部、２４：締付け穴部、２５：湾曲部、２１０：装飾物置き、２３０：止め金、２４０：締付け穴、２４１：締付け縁、２４２：斜面、２５０：軸座、２５１：支軸、２５２：軸溝、２５３：支軸、２５４：支軸、２５５：軸穴、２５６：軸座、２５７：支軸
【図１】
0004616326.tif 000002
【図２】
0004616326.tif 000003
【図３】
0004616326.tif 000004
【図４】
0004616326.tif 000005
【図５】
0004616326.tif 000006
【図６】
0004616326.tif 000007
【図７】
0004616326.tif 000008
【図８】
0004616326.tif 000009
【図９】
0004616326.tif 000010
【図１０】
0004616326.tif 000011
【図１１】
0004616326.tif 000012
【図１２】
0004616326.tif 000013
【図１３】
0004616326.tif 000014
【図１４】
0004616326.tif 000015
【図１５】
0004616326.tif 000016
【図１６】
0004616326.tif 000017
【図１７】
0004616326.tif 000018
【図１８】
0004616326.tif 000019
【図１９】
0004616326.tif 000020
【図２０】
0004616326.tif 000021
【図２１】
0004616326.tif 000022